(57)【要約】簡便に計測を行うことができ且つユーザによる計測結果の差異を防止することができる音響波診断装置および音響波診断装置の制御方法を提供する。超音波診断装置（１）は、取得した音響波画像を表示する表示部（８）と、表示部（８）に表示された音響波画像に含まれる計測対象を判別する計測対象判別部（９）と、計測対象に基づいて計測アルゴリズムを設定する計測アルゴリズム設定部（１１）と、計測アルゴリズム設定部により設定された計測アルゴリズムに基づいて、音響波画像から計測対象に対する計測を行い、計測結果を表示部に表示させる計測部（１０）とを備える。
2019039050.tif 000002
【特許請求の範囲】
【請求項１】
取得した音響波画像を表示する表示部と、
前記表示部に表示された前記音響波画像に含まれる計測対象を判別する計測対象判別部と、
前記計測対象に基づいて計測アルゴリズムを設定する計測アルゴリズム設定部と、
前記計測アルゴリズム設定部により設定された前記計測アルゴリズムに基づいて、前記音響波画像から前記計測対象に対する計測を行い、計測結果を前記表示部に表示させる計測部と
を備えた音響波診断装置。
【請求項２】
前記計測対象判別部は、前記音響波画像および時系列において前記音響波画像の前後に撮像された音響波画像を参照して前記音響波画像に含まれる前記計測対象を判別する請求項１に記載の音響波診断装置。
【請求項３】
ユーザが入力操作を行うための操作部をさらに備える請求項１または２に記載の音響波診断装置。
【請求項４】
前記操作部を介してユーザから計測実行の指示を受付ける計測実行指示受付部をさらに備える請求項３に記載の音響波診断装置。
【請求項５】
前記計測実行指示受付部は、前記表示部に順次表示されている前記音響波画像を、ユーザが前記操作部を介してフリーズさせたことを前記計測実行の指示と判断する請求項４に記載の音響波診断装置。
【請求項６】
前記計測実行指示受付部は、メモリに保存されている前記音響波画像を、前記操作部を介してユーザが前記表示部に表示させたことを前記計測実行の指示と判断する請求項４に記載の音響波診断装置。
【請求項７】
前記計測対象判別部は、前記音響波画像に含まれる前記計測対象が単数であるか否かを判別する請求項１〜６のいずれか一項に記載の音響波診断装置。
【請求項８】
前記計測対象判別部は、前記音響波画像中のパターンに付与された尤度及び類似度のスコアが予め定められた閾値以下である場合に、前記音響波画像に前記計測対象が判別されなかったと判断する請求項７に記載の音響波診断装置。
【請求項９】
前記計測対象判別部により前記計測対象が判別されなかったと判断した場合に警告を発する警告部を更に備える請求項８に記載の音響波診断装置。
【請求項１０】
前記計測対象判別部は、前記音響波画像に含まれる前記計測対象が単数であるか複数であるかを判別する請求項７に記載の音響波診断装置。
【請求項１１】
前記計測対象判別部により複数の前記計測対象が判別されたと判断した場合に警告を発する警告部を更に備え、
前記警告部は、判別された前記複数の計測対象を前記表示部に色を異ならせて表示する請求項８に記載の音響波診断装置。
【請求項１２】
前記計測対象判別部により前記計測対象が判別されなかったと判断した場合および前記計測対象判別部により複数の前記計測対象が判別されたと判断した場合に警告を発する警告部と、
前記警告部により警告が発せられた場合に前記操作部を介してユーザにより計測対象の指定を受け付ける計測対象指定受付部と
をさらに備え、前記計測部は、前記計測対象指定受付部が受け付けた計測対象に対する計測を行う請求項３〜６のいずれか一項に記載の音響波診断装置。
【請求項１３】
前記警告部は、前記計測対象判別部により前記計測対象が判別されなかったと判断した場合に、前記表示部に警告表示を行い、且つ、複数の計測対象候補を前記表示部に表示し、
前記計測対象指定受付部は、前記表示部に表示された前記複数の計測対象候補から前記操作部を介してユーザにより選択された計測対象の指定を受け付ける請求項１２に記載の音響波診断装置。
【請求項１４】
前記警告部は、前記計測対象判別部により複数の前記計測対象が判別されたと判断した場合に、前記表示部に警告表示を行い、且つ、判別された前記複数の計測対象を前記表示部に表示し、
前記計測対象指定受付部は、前記表示部に表示された複数の前記計測対象から前記操作部を介してユーザにより選択された計測対象の指定を受け付ける請求項１２に記載の音響波診断装置。
【請求項１５】
前記計測部は、計測を行った計測対象の名前、計測値および計測に用いた計測線を前記計測結果として前記表示部に表示する請求項３〜１４のいずれか一項に記載の音響波診断装置。
【請求項１６】
前記操作部を介してユーザから前記表示部に表示された計測結果に対して計測対象の修正の指示を受け付ける計測対象修正受付部をさらに備え、
前記計測アルゴリズム設定部は、前記計測対象修正受付部が計測対象の修正の指示を受け付けると、修正された計測対象に応じた計測アルゴリズムを設定し、
前記計測部は、前記計測アルゴリズム設定部により設定された前記計測アルゴリズムに基づき、前記修正された計測対象に対して再度計測を行う請求項１５に記載の音響波診断装置。
【請求項１７】
前記操作部を介してユーザから前記表示部に表示された計測結果に対して計測線の修正の指示を受け付ける計測線修正受付部をさらに備え、
前記計測部は、前記計測線修正受付部が計測線の修正の指示を受け付けると、修正された計測線に基づいて再度計測を行う請求項１５に記載の音響波診断装置。
【請求項１８】
前記音響波画像は、超音波画像、光音響波画像、超音波画像と光音響波画像の合成画像のいずれかである請求項１〜１７のいずれか一項に記載の音響波診断装置。
【請求項１９】
音響波画像を表示し、
表示された前記音響波画像に含まれる計測対象を判別し、
判別された前記計測対象に基づいて計測アルゴリズムを設定し、
設定された前記計測アルゴリズムに基づいて前記音響波画像から前記計測対象に対する計測を行い、
計測結果を表示する音響波診断装置の制御方法。
【発明の詳細な説明】
【技術分野】
【０００１】
本発明は、音響波診断装置および音響波診断装置の制御方法に係り、特に、音響波画像上の部位について計測を行う音響波診断装置および音響波診断装置の制御方法に関する。
【背景技術】
【０００２】
近年、医用音響波診断装置においては、取得した音響波画像内に含まれる様々な臓器や病変等に対して、長さ、大きさおよび面積等の計測を行う計測機能を有することが一般的になっている。計測対象を計測するためには、通常、ユーザがトラックパッド、トラックボール、マウス等の座標を入力する入力装置を用いてキャリパすなわちカーソルを操作し、表示画像上に計測点や関心領域等の設定をすることが行われている。このように、ユーザによる手動の操作がなされる場合には、ユーザの経験および熟練度等が影響するため、操作を自動化する種々の試みがなされている。【０００３】
例えば、特許文献１には、操作部を介してユーザから計測対象に対するボディマークが選択されると、その計測対象に最適な画像モード、画質設定、計測モードおよび計測項目が自動的に設定される超音波診断装置が開示されている。特許文献１では、超音波画像に対し、操作部を介してユーザから入力された計測点の位置、数およびその順序により、計測対象に対する計測が行われ、その計測結果が表示部に表示される。
また、特許文献２には、操作部を介してユーザから超音波画像上に指定点が入力されると、入力された指定点を中心とする一定の領域に対して画像処理を行うことにより適切な計測点を決定する超音波診断装置が開示されている。特許文献２では、このように決定された計測点に基づいて計測対象に対する計測が行われる。
【先行技術文献】
【特許文献】
【０００４】
【特許文献１】特開２０１０−２４０１９８号公報
【特許文献２】特開２０１３−１１１４３４号公報
【発明の概要】
【発明が解決しようとする課題】
【０００５】
このように、特許文献１および２に開示されている超音波診断装置においては、操作部を介して計測点および指定点を手動で指定する必要があるため、計測に手間がかかり、また、ユーザにより異なる計測結果が得られるおそれがある。【０００６】
本発明は、このような従来の問題点を解消するためになされたものであり、簡便に計測を行うことができ且つユーザによる計測結果の差異を防止することができる音響波診断装置および音響波診断装置の制御方法を提供することを目的とする。
【課題を解決するための手段】
【０００７】
上記目的を達成するために、本発明の一態様に係る音響波診断装置は、取得した音響波画像を表示する表示部と、表示部に表示された音響波画像に含まれる計測対象を判別する計測対象判別部と、計測対象に基づいて計測アルゴリズムを設定する計測アルゴリズム設定部と、計測アルゴリズム設定部により設定された計測アルゴリズムに基づいて、音響波画像から計測対象に対する計測を行い、計測結果を表示部に表示させる計測部とを備えることを特徴とする。【０００８】
計測対象判別部は、音響波画像および時系列において音響波画像の前後に撮像された音響波画像を参照して音響波画像に含まれる計測対象を判別することが好ましい。
また、ユーザが入力操作を行うための操作部をさらに備えることが好ましい。
また、操作部を介してユーザから計測実行の指示を受付ける計測実行指示受付部をさらに備えることが好ましい。
また、計測実行指示受付部は、表示部に順次表示されている音響波画像を、ユーザが操作部を介してフリーズさせたことを計測実行の指示と判断することが好ましい。
また、計測実行指示受付部は、メモリに保存されている音響波画像を、操作部を介してユーザが表示部に表示させたことを計測実行の指示と判断することが好ましい。
計測対象判別部は、音響波画像に含まれる計測対象が単数であるか否かを判別することが好ましい。
計測対象判別部は、音響波画像中のパターンに付与された尤度及び類似度のスコアが予め定められた閾値以下である場合に、音響波画像に計測対象が判別されなかったと判断 することが好ましい。
計測対象判別部により計測対象が判別されなかったと判断した場合に警告を発する警告部を更に備えることが好ましい。
計測対象判別部は、音響波画像に含まれる計測対象が単数であるか複数であるかを判別することが好ましい。
計測対象判別部により複数の計測対象が判別されたと判断した場合に警告を発する警告部を更に備え、警告部は、判別された複数の計測対象を表示部に色を異ならせて表示することが好ましい。【０００９】
また、計測対象判別部により計測対象が判別されなかったと判断した場合および計測対象判別部により複数の計測対象が判別されたと判断した場合に警告を発する警告部と、警告部により警告が発せられた場合に操作部を介してユーザにより計測対象の指定を受け付ける計測対象指定受付部とをさらに備え、計測部は、計測対象指定受付部が受け付けた計測対象に対する計測を行うことが好ましい。【００１０】
警告部は、計測対象判別部により計測対象が判別されなかったと判断した場合に、表示部に警告表示を行い、且つ、複数の計測対象候補を表示部に表示し、計測対象指定受付部は、表示部に表示された複数の計測対象候補から操作部を介してユーザにより選択された計測対象の指定を受け付けることが好ましい。
また、警告部は、計測対象判別部により複数の計測対象が判別されたと判断した場合に、表示部に警告表示を行い、且つ、判別された複数の計測対象を表示部に表示し、計測対象指定受付部は、表示部に表示された複数の計測対象から操作部を介してユーザにより選択された計測対象の指定を受け付けることが好ましい。【００１１】
計測部は、計測を行った計測対象の名前、計測値および計測に用いた計測線を計測結果として表示部に表示することが好ましい。【００１２】
操作部を介してユーザから表示部に表示された計測結果に対して計測対象の修正の指示を受け付ける計測対象修正受付部をさらに備え、計測アルゴリズム設定部は、計測対象修正受付部が計測対象の修正の指示を受け付けると、修正された計測対象に応じた計測アルゴリズムを設定し、計測部は、計測アルゴリズム設定部により設定された計測アルゴリズムに基づき、修正された計測対象に対して再度計測を行うことが好ましい。
また、操作部を介してユーザから表示部に表示された計測結果に対して計測線の修正の指示を受け付ける計測線修正受付部をさらに備え、計測部は、計測線修正受付部が計測線の修正の指示を受け付けると、修正された計測線に基づいて再度計測を行うことが好ましい。【００１３】
音響波画像は、超音波画像、光音響波画像、超音波画像と光音響波画像の合成画像のいずれかであってもよい。【００１４】
本発明の一態様に係る音響波診断装置の制御方法は、音響波画像を表示し、表示された音響波画像に含まれる計測対象を判別し、判別された計測対象に基づいて計測アルゴリズムを設定し、設定された計測アルゴリズムに基づいて音響波画像から計測対象に対する計測を行い、計測結果を表示することを特徴とする。
【発明の効果】
【００１５】
本発明の一態様に係る音響波診断装置によれば、表示部に表示された音響波画像に含まれる計測対象を判別する計測対象判別部と、計測アルゴリズムに基づいて音響波画像から計測対象に対する計測を行い、計測結果を表示部に表示させる計測部を備えるため、簡便に計測を行うことができ且つユーザによる計測結果の差異を防止することができる。
【図面の簡単な説明】
【００１６】
【図１】本発明の実施の形態１に係る超音波診断装置の構成を示すブロック図である。
【図２】本発明の実施の形態１における画像生成部の内部構成を示すブロック図である。
【図３】本発明の実施の形態１に係る超音波診断装置の計測動作を示すフローチャートである。
【図４】本発明の実施の形態１における計測実行ボタンの表示例を示す図である。
【図５】本発明の実施の形態２に係る超音波診断装置の構成を示すブロック図である。
【図６】本発明の実施の形態２に係る超音波診断装置の計測動作を示すフローチャートである。
【発明を実施するための形態】
【００１７】
以下、この発明の実施の形態を添付図面に基づいて説明する。
実施の形態１
図１に、本発明の実施の形態１に係る超音波診断装置１の構成を示す。図１に示すように、超音波診断装置１は、振動子アレイ２を備えており、振動子アレイ２に、それぞれ送信部３および受信部４が接続されている。受信部４には、ＡＤ（Analog Digital：アナログデジタル）変換部５、画像生成部６、表示制御部７および表示部８が順次接続されている。また、画像生成部６に計測対象判別部９および計測部１０がそれぞれ接続されており、計測対象判別部９に、計測部１０が接続され、計測部１０に、表示制御部７が接続されている。また、計測対象判別部９に、それぞれ、計測アルゴリズム設定部１１および警告部１３が接続されており、計測アルゴリズム設定部１１に、計測部１０が接続され、警告部１３に、表示制御部７が接続されている。また、計測部１０には、算出基準保存部１２が接続されている。
【００１８】
さらに、送信部３、受信部４、画像生成部６、表示制御部７、計測対象判別部９、計測部１０、計測アルゴリズム設定部１１および警告部１３に、装置制御部１４が接続され、装置制御部１４に、計測実行指示受付部１５、計測対象指定受付部１６、操作部１７および格納部１８が接続されている。また、計測実行指示受付部１５および計測対象指定受付部１６に操作部１７が接続されている。
また、振動子アレイ２、送信部３および受信部４により、超音波プローブ２２が構成されており、ＡＤ変換部５、画像生成部６、表示制御部７、計測対象判別部９、計測部１０、計測アルゴリズム設定部１１、算出基準保存部１２、警告部１３、装置制御部１４、計測実行指示受付部１５および計測対象指定受付部１６により、プロセッサ２３が構成されている。
【００１９】
図１に示す超音波プローブ２２の振動子アレイ２は、１次元または２次元に配列された複数の素子（超音波振動子）を有している。これらの素子は、それぞれ送信部３から供給される駆動信号に従って超音波を送信すると共に被検体からの反射波を受信して受信信号を出力する。各素子は、例えば、ＰＺＴ（Lead Zirconate Titanate：チタン酸ジルコン酸鉛）に代表される圧電セラミック、ＰＶＤＦ（Poly Vinylidene Di Fluoride：ポリフッ化ビニリデン）に代表される高分子圧電素子およびＰＭＮ−ＰＴ（Lead Magnesium Niobate-Lead Titanate：マグネシウムニオブ酸鉛−チタン酸鉛固溶体）に代表される圧電単結晶等からなる圧電体の両端に電極を形成した振動子を用いて構成される。
【００２０】
超音波プローブ２２の送信部３は、例えば、複数のパルス発生器を含んでおり、装置制御部１４からの制御信号に応じて選択された送信遅延パターンに基づいて、振動子アレイ２の複数の素子から送信される超音波が超音波ビームを形成するようにそれぞれの駆動信号を、遅延量を調節して複数の素子に供給する。このように、振動子アレイ２の素子の電極にパルス状または連続波状の電圧が印加されると、圧電体が伸縮し、それぞれの振動子からパルス状または連続波状の超音波が発生して、それらの超音波の合成波から、超音波ビームが形成される。
【００２１】
送信された超音波ビームは、例えば、被検体の部位等の対象において反射され、超音波プローブ２２の振動子アレイ２に向かって伝搬する。このように振動子アレイ２に向かって伝搬する超音波は、振動子アレイ２を構成するそれぞれの素子により受信される。この際に、振動子アレイ２を構成するそれぞれの振動子は、伝搬する超音波を受信することにより伸縮して電気信号を発生させ、それらの電気信号は、超音波の受信信号として、それぞれの振動子から受信部４に出力される。図示しないが、受信部４は、それぞれの振動子から入力された超音波の受信信号を増幅するための増幅部を有しており、ここで増幅された信号がＡＤ変換部５においてデジタル化された素子データに変換されると、画像生成部６に出力される。
【００２２】
プロセッサ２３の画像生成部６は、図２に示すように、信号処理部１９、ＤＳＣ（Digital Scan Converter：デジタルスキャンコンバータ）２０および画像処理部２１が直列接続された構成を有している。信号処理部１９は、装置制御部１４からの制御信号に応じて選択された受信遅延パターンに基づき、設定された音速に従う各素子データにそれぞれの遅延を与えて加算（整相加算）を施す、受信フォーカス処理を行う。この受信フォーカス処理により、超音波エコーの焦点が絞り込まれた音線信号が生成される。また、信号処理部１９は、生成された音線信号に対して、超音波が反射した位置の深度に応じて伝搬距離に起因する減衰の補正を施した後、包絡線検波処理を施して、被検体内の組織に関する断層画像情報であるＢモード画像信号を生成する。このように生成されたＢモード画像信号は、ＤＳＣ２０に出力される。
【００２３】
ＤＳＣ２０は、Ｂモード画像信号を通常のテレビジョン信号の走査方式に従う画像信号にラスター変換する。画像処理部２１は、ＤＳＣ２０において得られた画像データに対して、明るさ補正、階調補正、シャープネス補正および色補正等の各種の必要な画像処理を施した後、Ｂモード画像信号を表示制御部７、計測対象判別部９および計測部１０に出力する。以下では、このＢモード画像信号を超音波画像と呼ぶ。
【００２４】
プロセッサ２３の計測対象判別部９は、画像生成部６において生成された超音波画像に対して画像認識を行うことにより、超音波画像に含まれる計測対象を判別する。ここで、計測対象には、臓器等の計測の対象となる部位、腫瘍、のう胞および出血等の病変箇所等を含むことができる。また、計測対象判別部９は、例えば、深層学習等の機械学習を用いて超音波画像中の計測対象を判別することができる。この場合に、例えば、計測対象判別部９に対して、事前に、正のデータとして計測対象に対する典型的なパターンデータを大量に学習させると共に、負のデータとして計測対象に対する典型的なパターンデータ以外のパターンデータを事前に大量に学習させて、ニューラルネットワークを構築することができる。計測対象判別部９は、超音波画像に含まれるパターンに対し特徴的な部分の長さ等を計算し、計算結果と構築されたニューラルネットワークとを用いて、これらのパターンを学習済みのパターンデータに分類することにより、計測対象を判別することができる。
【００２５】
この際に、計測対象判別部９は、学習されたパターンデータに対する尤度を、超音波画像に含まれるパターンに付与し、尤度に対する閾値判定を行うことにより、計測対象の判定をすることができる。ここで、尤度とは、学習された複数のパターンデータに対する超音波画像に含まれるパターンの尤もらしさを表す値である。例えば、胆嚢のパターンデータに対して、超音波画像に含まれるパターンの尤度が高ければ、超音波画像に含まれるパターンは、胆嚢である確率が高い。
【００２６】
また、例えば、計測対象判別部９は、典型的なパターンデータをテンプレートとして予め記憶しておき、画像内をテンプレートでサーチしながらパターンデータに対する類似度を算出し、類似度が閾値以上かつ最大となった場所に計測対象が存在するとみなすことにより、計測対象を判別することができる。類似度の算出には、単純なテンプレートマッチングの他に、例えば、Csurka et al.: Visual Categorization with Bags of Keypoints, Proc. of ECCV Workshop on Statistical Learning in Computer Vision, pp.59-74 （2004）に記載されている機械学習手法等を用いることができる。
【００２７】
このように、計測対象判別部９は、超音波画像において計測対象を判別することができる。計測対象の判別には、計測対象判別部９が超音波画像中のパターンに付与したスコア等により、超音波画像中のパターンが唯１つの計測対象として判別される場合と、超音波画像中のパターンが計測対象として判別されない場合と、超音波画像中のパターンが胆嚢および腹部大動脈等の複数の計測対象として判別される場合とがある。
【００２８】
超音波画像中のパターンが計測対象として判別されないと判断する場合として、例えば、複数の計測対象の候補に対して超音波画像中のパターンに付与された尤度および類似度等のスコアが、いずれも、定められた閾値以下である場合が挙げられる。また、超音波画像中のパターンが複数の計測対象として判別されたと判断する場合として、例えば、複数の計測対象の候補に対して超音波画像中のパターンに付与された尤度および類似度等のスコアのうち幾つかのスコアが定められた閾値を超えている場合が挙げられる。
【００２９】
プロセッサ２３の計測アルゴリズム設定部１１は、計測対象判別部９が判別した計測対象、および、後述するように計測対象指定受付部１６が操作部１７を介してユーザからの指定を受け付けた計測対象に対して、計測アルゴリズムを設定する。計測アルゴリズム設定部１１は、各計測対象に対応するアルゴリズムを対応付けテーブルとして記憶しておき、計測対象が定められると、対応付けテーブルを参照して計測アルゴリズムを設定する。
【００３０】
ここで、一般に、計測対象毎に異なる計測ルールが存在する。計測ルールとは、特定の計測対象に対して、どの部分をどのように計測するかに関するルールである。例えば、計測対象が胆嚢である場合に、計測ルールとして、超音波画像に含まれる胆嚢領域の内壁上の２点を端点とし且つ胆嚢領域の重心を通り、距離が最大の線分を計測線として決定し、決定された線分の長さを計測するものがある。また、例えば、計測対象が腎臓である場合に、計測ルールとして、超音波画像に含まれる腎臓領域の境界上の２点のうち距離が最大となる２点間の長さを計測することを定めるものがある。計測アルゴリズムは、このような計測ルールを実行するための計算手段を定めたものであり、計測対象毎に異なる。
ここで、アルゴリズムとは、計測等の目的を達成するための計算手段を定めたものであって、例えば、ソフトウェアのプログラムとして装置に実装され、ＣＰＵ（Central Processing Unit：中央処理装置）により実行されるものである。計測アルゴリズム設定部１１に設定される計測アルゴリズムとしては、一般的に使用される公知のアルゴリズムを使用することができる。
【００３１】
プロセッサ２３の計測部１０は、計測対象判別部９が判別した計測対象、および、後述するように計測対象指定受付部１６が操作部１７を介してユーザからの指定を受け付けた計測対象に対し、計測アルゴリズム設定部１１により設定された計測アルゴリズムに基づいて計測を行い、表示制御部７を介して表示部８に計測結果を表示させる。ここで、計測部１０が表示部８に表示させる計測結果は、計測対象に対する計測値に加えて、計測対象の名前および計測に用いた計測線を含んでいてもよい。また、計測部１０は、計測対象に対する計測を行う際に、算出基準保存部１２に予め保存された算出基準に基づいて計測値を算出する。
【００３２】
プロセッサ２３の警告部１３は、計測対象判別部９により計測対象が判別されなかったと判断した場合および計測対象判別部９により複数の計測対象が判別されたと判断した場合に、警告を発すると共に、複数の計測対象候補あるいは判別された複数の計測対象を、表示制御部７を介して表示部８に表示させる。例えば、警告部１３は、計測対象判別部９により計測対象が判別されなかったと判断した場合に、計測対象が見つからなかった旨のテキストを表示部８に表示させ、予め定められた複数の計測対象候補を表示部８に表示させることができる。また、例えば、警告部１３は、計測対象判別部９により複数の計測対象が判別されたと判断した場合に、複数の計測対象が見つかった旨のテキストを表示部８に表示させ、判別された複数の計測対象を計測対象候補として表示部８に表示させることができる。
なお、警告部１３は、警告内容を表すテキストの代わりに、警告内容を表す音声を発することもでき、警告内容を表すテキストを表示部８に表示させると共に音声を発することもできる。
【００３３】
プロセッサ２３の計測実行指示受付部１５は、表示部８に表示された超音波画像に対する計測実行の指示を、操作部１７を介してユーザから受け付ける。
プロセッサ２３の計測対象指定受付部１６は、複数の計測対象候補、および、計測対象判別部９により判別された複数の計測対象が表示部８に表示された際に、複数の計測対象候補から操作部１７を介してユーザにより選択された計測対象の指定を受け付ける。
【００３４】
プロセッサ２３の表示制御部７は、画像生成部６により生成された画像データと計測部１０により算出された計測値とを合成した合成画像を生成し、合成画像を表示部８に表示させる。
超音波診断装置１の表示部８は、例えば、ＬＣＤ（Liquid Crystal Display：液晶ディスプレイ）等のディスプレイ装置を含んでおり、装置制御部１４による制御の下、超音波画像を表示する。
超音波診断装置１の操作部１７は、ユーザが入力操作を行うためのものであり、キーボード、マウス、トラックボール、トラックパッドおよびタッチパネル等を備えて構成することができる。
【００３５】
超音波診断装置１の格納部１８は、超音波診断装置１の動作プログラム等を格納するもので、ＨＤＤ（Hard Disc Drive：ハードディスクドライブ）、ＳＳＤ（Solid State Drive：ソリッドステートドライブ）、ＦＤ（Flexible Disc：フレキシブルディスク）、ＭＯディスク（Magneto-Optical disc：光磁気ディスク）、ＭＴ（Magnetic Tape：磁気テープ）、ＲＡＭ（Random Access Memory：ランダムアクセスメモリ）、ＣＤ（Compact Disc：コンパクトディスク）、ＤＶＤ（Digital Versatile Disc：デジタルバーサタイルディスク）、ＳＤカード（Secure Digital card：セキュアデジタルカード）、ＵＳＢメモリ（Universal Serial Bus memory：ユニバーサルシリアルバスメモリ）等の記録メディア、またはサーバ等を用いることができる。
【００３６】
なお、ＡＤ変換部５、画像生成部６、表示制御部７、計測対象判別部９、計測部１０、計測アルゴリズム設定部１１、算出基準保存部１２、警告部１３、装置制御部１４、計測実行指示受付部１５および計測対象指定受付部１６は、ＣＰＵ、および、ＣＰＵに各種の処理を行わせるための制御プログラムから構成されるが、それらを、デジタル回路を用いて構成しても良い。また、これらのＡＤ変換部５、画像生成部６、表示制御部７、計測対象判別部９、計測部１０、計測アルゴリズム設定部１１、算出基準保存部１２、警告部１３、装置制御部１４、計測実行指示受付部１５および計測対象指定受付部１６を部分的にあるいは全体的に１つのＣＰＵに統合させて構成することもできる。
【００３７】
次に、図３に示すフローチャートを用いて、実施の形態１の超音波診断装置１の計測動作について説明する。
まず、ステップＳ１において、超音波診断装置１は、超音波画像を取得し、取得された１枚の超音波画像が表示部８に表示される。この超音波画像として、超音波プローブ２２を用いてその場で撮像されたものを使用することができる。この場合には、超音波プローブ２２により連続的に撮像され、表示部８に順次表示されている超音波画像をユーザが操作部１７を介してフリーズさせることにより、表示部８に１枚の超音波画像を表示させることができる。また、超音波画像として、図示しない外部メモリから取得したものを使用することもできる。
【００３８】
次に、ステップＳ２において、計測実行指示受付部１５は、取得された超音波画像に対する計測実行の指示を、操作部１７を介してユーザから受け付ける。例えば、図４に示すように、超音波画像Ｓと共に計測実行ボタンＭが表示部８に表示され、操作部１７を介してユーザから計測実行ボタンＭが選択された場合に、計測実行指示受付部１５は、超音波画像Ｓに対する計測実行の指示を受け付けることができる。
【００３９】
続くステップＳ３において、計測対象判別部９は、画像認識により、表示部８に表示された超音波画像に含まれる計測対象を判別する。計測対象判別部９により計測対象の判別動作が完了すると、ステップＳ４に進む。
ステップＳ４において計測対象判別部９は、ステップＳ３において唯１つの計測対象が判別されたと判断したか、計測対象が判別されなかったと判断したか、また、複数の計測対象が判別されたと判断したかの判定を行う。ここで、ステップＳ３において唯１つの計測対象が判別されたと判断したと判定された場合に、ステップＳ５に進む。
【００４０】
ステップＳ５において、計測アルゴリズム設定部１１は、ステップＳ３において判別された唯１つの計測対象に対する計測アルゴリズムを設定する。例えば、計測アルゴリズム設定部１１は、計測対象が胆嚢である場合に、胆嚢領域の内壁上に配置された２点を端点とする最大距離の線分を計測線として決定し、この計測線の長さを計測するような計測アルゴリズムを設定する。また、例えば、計測アルゴリズム設定部１１は、計測対象が腹部大動脈である場合に、腹部大動脈の外壁の輪郭線を計測線として抽出し且つ抽出された輪郭線の内側の総ピクセル数を算出し、算出された総ピクセル数を腹部大動脈の断面積に換算するような計測アルゴリズムを設定する。また、計測アルゴリズム設定部１１は、計測対象に応じて、長さと面積の両方を計測するように計測アルゴリズムを設定することもできる。
【００４１】
続くステップＳ６において、計測部１０は、設定された計測アルゴリズムに基づいて、計測対象に対する自動計測を行う。この自動計測により、計測対象に対する計測値が算出されると、計測部１０は、計測結果を表示部８に表示させる。ステップＳ７が完了すると、超音波診断装置１の計測動作が終了する。
【００４２】
また、ステップＳ４において、計測対象判別部９により計測対象が判別されなかったと判断したと判定された場合に、ステップＳ８に進む。
ステップＳ８において、警告部１３は、計測対象が判別されなかった旨の警告表示を表示部８に表示させる。
続くステップＳ９において、警告部１３は、予め定められた複数の計測対象候補を表示部８に表示させる。この際に、警告部１３は、ステップＳ３における計測対象の判別動作において、複数の計測対象候補に対して超音波画像に含まれるパターンに付与された尤度および類似度等のスコアが高い順に、複数の計測対象候補を表示部８にリスト表示させることができる。
【００４３】
ステップＳ１０において、計測対象指定受付部１６は、ステップＳ９において表示部８に表示された複数の計測対象候補から操作部１７を介してユーザにより選択された計測対象の指定を受け付ける。このように、計測対象の指定が受け付けられると、ステップＳ５に進み、指定された計測対象に対して計測アルゴリズムが設定され、計測対象に対する自動計測がステップＳ６において行われると、ステップＳ７において計測結果が表示部８に表示される。このようにして、超音波診断装置１における計測動作が終了する。
【００４４】
また、ステップＳ４において、計測対象判別部９により複数の計測対象が判別されたと判断したと判定された場合に、ステップＳ１１に進む。
ステップＳ１１において、警告部１３は、複数の計測対象が判別された旨の警告表示を表示部８に表示させる。
続くステップＳ１２において、警告部１３は、計測対象判別部９により判別された複数の計測対象を表示部８に表示させる。この際に、警告部１３は、ステップＳ３における計測対象の判別動作において、複数の計測対象に対して超音波画像に含まれるパターンに付与された尤度および類似度等のスコアが高い順に、複数の計測対象を表示部８にリスト表示させることができる。
【００４５】
ステップＳ１３において、計測対象指定受付部１６は、ステップＳ１２において表示部８に表示された複数の計測対象から操作部１７を介してユーザにより選択された計測対象の指定を受け付ける。このように、計測対象の指定が受け付けられると、ステップＳ５に進み、指定された計測対象に対して計測アルゴリズムが設定され、計測対象に対する自動計測がステップＳ６において行われると、ステップＳ７において計測結果が表示部８に表示される。このようにして、超音波診断装置１における計測動作が終了する。
【００４６】
以上において説明した実施の形態１の超音波診断装置１によれば、計測実行指示受付部１５が操作部１７を介してユーザからなされた計測実行の指示を受け付けることにより、計測対象判別部９により、超音波画像中の計測対象が自動的に判別され、判別された計測対象に対応した計測が自動的になされるため、ユーザの手間がかからず、簡便に計測を行うことができる。また、このように、計測対象の判別および計測が自動的に行われ、操作部１７を介したユーザによる操作が計測結果に寄与しないため、ユーザによる計測結果の差異を防止することができる。
【００４７】
なお、本発明の実施の形態１の超音波診断装置１は、超音波画像から計測対象の計測を行っているが、超音波画像以外の音響波画像に対しても計測を行うようにしてもよい。例えば、光音響波画像、および、超音波画像と光音響波画像とを重畳させた合成画像に対しても、計測対象の計測を行うようにしてもよい。
【００４８】
また、実施の形態１において計測対象判別部９は、表示部８に表示された超音波画像を参照して超音波画像に含まれる計測対象を判別しているが、複数の超音波画像を参照することにより超音波画像に含まれる計測対象を判別してもよい。例えば、計測対象判別部９は、表示部８に表示された超音波画像とその前後フレームの超音波画像についてそれぞれ画像認識を行うことにより、計測対象を判別してもよい。ここで、前後フレームの超音波画像とは、時系列において、表示部８に表示されている超音波画像の前後に撮像された超音波画像のことである。また、計測対象判別部９が参照する前後フレームの超音波画像の数は特に限定されず、表示部８に表示された超音波画像に対して前フレームの超音波画像および後フレームの超音波画像の少なくとも１枚でもよく、それぞれ複数枚でもよい。
【００４９】
また、計測アルゴリズム設定部１１は、計測対象に応じた計測アルゴリズムを自動的に設定するが、設定される計測アルゴリズムを、予めユーザの好み等に合わせたものに設定しておいてもよい。例えば、１つの計測対象に対して複数の計測アルゴリズムを予め格納部１８等に記憶させておき、操作部１７を介してユーザにより予め計測対象に対応した計測アルゴリズムを選択させておいてもよい。例えば、計測対象が胆嚢である場合に、胆嚢の短軸の長さを計測する計測アルゴリズムと胆嚢の長軸の長さを計測する計測アルゴリズムを予め格納部１８等に記憶させておき、胆嚢を計測対象とした場合に対して短軸の長さを計測する計測アルゴリズムを、ユーザに予め選択させておいてもよい。この場合に、計測アルゴリズム設定部１１は、計測対象が胆嚢となった場合に、胆嚢の短軸の長さを計測する計測アルゴリズムを自動的に選択する。
【００５０】
また、実施の形態１における計測動作では、ステップＳ２において計測実行指示受付部１５が操作部１７を介してユーザによりなされた計測実行の指示を受け付けることがトリガとなり、計測対象判別部９による計測対象の判別が開始されるが、本発明は、これに限定されない。例えば、超音波プローブ２２により超音波画像が連続的に撮像されている場合に、表示部８に順次表示されている超音波画像をユーザが操作部１７を介してフリーズさせ、表示部８に１枚の超音波画像を表示させることをトリガとして、計測対象判別部９による計測対象の判別が開始されるようにしてもよい。また、例えば、図示しない外部メモリ等のメモリに保存されている超音波画像を表示部８に表示させることをトリガとして、計測対象判別部９による計測対象の判別が開始されるようにしてもよい。
これにより、操作部１７を介したユーザの操作をさらに減らすことができるため、さらに簡便に計測を行うことができる。
【００５１】
また、ステップＳ７において計測結果を表示部８に表示させる際に、計測結果が、計測値に加えて計測線および計測対象の名前等の少なくとも１つを含んでいる場合に、計測部１０は、計測値および対応する計測線、計測値および対応する計測対象の名前、計測値および対応する計測線ならびに計測対象の名前など、計測値と関連する項目の色、太さ、実線および破線等の線の種類、透過度の少なくとも１つを変更して表示部８に表示してもよい。
【００５２】
また、警告部１３は、ステップＳ９において複数の計測対象候補を表示部８に表示する際に、予め定められた順に複数の計測対象候補を表示してもよい。同様に、警告部１３は、ステップＳ１２において複数の計測対象を表示部８に表示する際に、予め定められた順に複数の計測対象を表示してもよい。また、警告部１３は、ステップＳ１２において複数の計測対象を表示部８に表示する際に、複数の計測対象の色をそれぞれ異ならせて表示してもよい。
【００５３】
また、ステップＳ９において表示部８に表示される複数の計測対象候補の数およびステップＳ１２において表示部８に表示される複数の計測対象の数が多い場合に、表示部８における表示が煩雑になることを防ぐため、表示部８において一度に表示される計測対象候補および計測対象の数に上限を設定してもよい。例えば、定められた数の計測対象候補のみ、および、定められた数の計測対象のみを表示部８に表示し、操作部１７を介したユーザの操作により、計測対象候補および計測対象を、適宜、切り替えて表示させてもよい。
【００５４】
実施の形態２
実施の形態１における計測動作では、計測結果が表示部８に表示されることにより計測動作が終了する。実施の形態２における計測動作では、表示部８に表示された計測結果に対し、操作部１７を介したユーザによる手動修正が受け付けられてもよい。
図５に、実施の形態２の超音波診断装置１Ａの構成を示す。実施の形態２の超音波診断装置１Ａは、プロセッサ２３Ａが計測対象修正受付部２４および計測線修正受付部２５を有していることを除いて、実施の形態１の超音波診断装置１と同一である。
【００５５】
プロセッサ２３Ａの計測対象修正受付部２４は、表示部８に表示された計測結果に対して、操作部１７を介してユーザから計測対象の修正を受け付ける。例えば、表示部８に表示された計測結果が胆嚢に対する計測結果であって、計測対象を腹部大動脈等の胆嚢以外の計測対象に修正する場合に、計測対象修正受付部２４は、操作部１７を介してユーザから計測対象の修正を受け付ける。
プロセッサ２３Ａの計測線修正受付部２５は、表示部８に表示された計測結果に対して、操作部１７を介してユーザから計測線の修正およびその修正結果を受け付ける。例えば、表示部８に表示された表示結果が胆嚢の場合であって、計測対象自体は修正せずに、その計測線を修正する場合に、計測線修正受付部２５は、操作部１７を介してユーザから計測線の修正を受け付ける。
【００５６】
次に、実施の形態２における超音波診断装置１Ａの計測動作を図６に示すフローチャートを用いて説明する。ステップＳ１〜ステップＳ７、ステップＳ８〜ステップＳ１０、および、ステップＳ１１〜ステップＳ１３については、図３に示す実施の形態１におけるステップＳ１〜ステップＳ７、ステップＳ８〜ステップＳ１０、および、ステップＳ１１〜ステップＳ１３と同一である。
ステップＳ７において計測結果が表示部８に表示されると、ステップＳ１４に進む。
【００５７】
ステップＳ１４において、計測対象修正受付部２４は、表示部８に表示された計測結果に対して、操作部１７を介してユーザから計測対象の修正を受け付ける。また、ステップＳ１４において、計測線修正受付部２５は、表示部８に表示された計測結果に対して、操作部１７を介してユーザから計測線の修正を受け付ける。
【００５８】
ステップＳ１４において計測対象の修正が受け付けられた場合に、ステップＳ９に戻り、複数の計測対象候補が表示され、続くステップＳ１０において、操作部１７を介してユーザにより指定された計測対象が受け付けられる。例えば、表示部８に複数の計測対象候補の名前を表示させ、それらの計測対象候補のうちの１つをユーザが選択することにより、計測対象修正受付部２４により計測対象の修正が受け付けられる。
ステップＳ１０において計測対象が受け付けられると、ステップＳ５〜ステップＳ７において、計測アルゴリズムが設定され、計測対象に対する自動計測が行われ、表示部８に修正された計測対象に対する計測結果が表示され、ステップＳ１４に進む。
【００５９】
ステップＳ１４において計測線の修正が受け付けられた場合に、ステップＳ１５に進む。例えば、表示部８に計測線を表示させ、操作部１７を介してユーザから手動で計測線が調整されることにより、計測線修正受付部２５が計測線の修正を受け付けることができる。例えば、計測線が線分である場合には、線分の端点の位置が調整されることにより計測線の修正がなされる。また、この際に、修正された計測線に対する計測値が算出される。
ステップＳ１５において、計測線修正受付部２６は、操作部１７を介してユーザによりなされた計測線の手動修正に対する結果を受け付けて、ステップＳ７に戻り、手動修正された計測線および対応する計測値が表示部８に表示され、ステップＳ１４に進む。
【００６０】
また、ステップＳ１４において、計測対象および計測線に対する修正がなければ、超音波診断装置１Ａにおける計測動作は終了する。
【００６１】
以上のように、ステップＳ７に続くステップＳ１４において計測対象および計測線についての修正を受け付けることにより、超音波診断装置１Ａにおいて最終的に得られる計測結果の信頼度を向上させることができる。
【００６２】
なお、ステップＳ１４において計測対象修正の修正が受け付けられ、ステップＳ９において複数の計測対象候補が表示部８に表示される際に、警告部１３は、ステップＳ６において自動計測がなされた計測対象以外の計測対象候補を表示部８に表示してもよい。
また、警告部１３は、実施の形態１におけるステップＳ９と同様に、ステップＳ３において超音波画像に含まれるパターンに対して付与された尤度および類似度等のスコアが高い順に複数の計測対象候補を表示部８にリスト表示させてもよく、予め定められた順に複数の計測対象候補を表示部８にリスト表示させてもよい。
【符号の説明】
【００６３】
１，１Ａ  超音波診断装置、２  振動子アレイ、３  送信部、４  受信部、５  ＡＤ変換部、６  画像生成部、７  表示制御部、８  表示部、９  計測対象判別部、１０  計測部、１１  計測アルゴリズム設定部、１２  算出基準保存部、１３  警告部、１４  装置制御部、１５  計測実行指示受付部、１６  計測対象指定受付部、１７  操作部、１８  格納部、１９  信号処理部、２０  ＤＳＣ、２１  画像処理部、２２  超音波プローブ、２３，２３Ａ  プロセッサ、２４  計測対象修正受付部、２５  計測線修正受付部、Ｍ  計測実行ボタン、Ｓ  超音波画像。
【図１】
2019039050.tif 000003
【図２】
2019039050.tif 000004
【図３】
2019039050.tif 000005
【図４】
2019039050.tif 000006
【図５】
2019039050.tif 000007
【図６】
2019039050.tif 000008
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
取得した音響波画像を表示する表示部と、
前記表示部に表示された前記音響波画像に含まれる計測対象を判別する計測対象判別部と、
前記計測対象に基づいて計測アルゴリズムを設定する計測アルゴリズム設定部と、
前記計測アルゴリズム設定部により設定された前記計測アルゴリズムに基づいて、前記音響波画像から前記計測対象に対する計測を行い、計測結果を前記表示部に表示させる計測部と、
ユーザが入力操作を行うための操作部と、
前記操作部を介してユーザから計測実行の指示を受付ける計測実行指示受付部と
を備え、
前記計測実行指示受付部は、前記表示部に順次表示されている前記音響波画像を、ユーザが前記操作部を介してフリーズさせたことを前記計測実行の指示と判断する音響波診断装置。
【請求項２】
取得した音響波画像を表示する表示部と、
前記表示部に表示された前記音響波画像に含まれる計測対象を判別する計測対象判別部と、
前記計測対象に基づいて計測アルゴリズムを設定する計測アルゴリズム設定部と、
前記計測アルゴリズム設定部により設定された前記計測アルゴリズムに基づいて、前記音響波画像から前記計測対象に対する計測を行い、計測結果を前記表示部に表示させる計測部と、
ユーザが入力操作を行うための操作部と、
前記操作部を介してユーザから計測実行の指示を受付ける計測実行指示受付部と
を備え、
前記計測実行指示受付部は、メモリに保存されている前記音響波画像を、前記操作部を介してユーザが前記表示部に表示させたことを前記計測実行の指示と判断する音響波診断装置。
【請求項３】
前記計測対象判別部は、前記音響波画像および時系列において前記音響波画像の前後に撮像された音響波画像を参照して前記音響波画像に含まれる前記計測対象を判別する請求項１または２に記載の音響波診断装置。
【請求項４】
前記計測対象判別部は、前記音響波画像に含まれる前記計測対象が単数であるか否かを判別する請求項１〜３のいずれか一項に記載の音響波診断装置。
【請求項５】
取得した音響波画像を表示する表示部と、
前記表示部に表示された前記音響波画像に含まれる計測対象を判別する計測対象判別部と、
前記計測対象に基づいて計測アルゴリズムを設定する計測アルゴリズム設定部と、
前記計測アルゴリズム設定部により設定された前記計測アルゴリズムに基づいて、前記音響波画像から前記計測対象に対する計測を行い、計測結果を前記表示部に表示させる計測部と
を備え、
前記計測対象判別部は、前記音響波画像に含まれる前記計測対象が単数であるか否かを判別する音響波診断装置。
【請求項６】
前記計測対象判別部は、前記音響波画像および時系列において前記音響波画像の前後に撮像された音響波画像を参照して前記音響波画像に含まれる前記計測対象を判別する請求項５に記載の音響波診断装置。
【請求項７】
ユーザが入力操作を行うための操作部をさらに備える請求項５または６に記載の音響波診断装置。
【請求項８】
前記操作部を介してユーザから計測実行の指示を受付ける計測実行指示受付部をさらに備える請求項７に記載の音響波診断装置。
【請求項９】
前記計測実行指示受付部は、前記表示部に順次表示されている前記音響波画像を、ユーザが前記操作部を介してフリーズさせたことを前記計測実行の指示と判断する請求項８に記載の音響波診断装置。
【請求項１０】
前記計測実行指示受付部は、メモリに保存されている前記音響波画像を、前記操作部を介してユーザが前記表示部に表示させたことを前記計測実行の指示と判断する請求項８に記載の音響波診断装置。
【請求項１１】
前記計測対象判別部は、前記音響波画像中のパターンに付与された尤度及び類似度のスコアが予め定められた閾値以下である場合に、前記音響波画像に前記計測対象が判別されなかったと判断する請求項４〜１０のいずれか一項に記載の音響波診断装置。
【請求項１２】
前記計測対象判別部により前記計測対象が判別されなかったと判断した場合に警告を発する警告部を更に備える請求項１１に記載の音響波診断装置。
【請求項１３】
前記計測対象判別部は、前記音響波画像に含まれる前記計測対象が単数であるか複数であるかを判別する請求項４〜１０のいずれか一項に記載の音響波診断装置。
【請求項１４】
前記計測対象判別部により複数の前記計測対象が判別されたと判断した場合に警告を発する警告部を更に備え、
前記警告部は、判別された前記複数の計測対象を前記表示部に色を異ならせて表示する請求項１１に記載の音響波診断装置。
【請求項１５】
前記計測対象判別部により前記計測対象が判別されなかったと判断した場合および前記計測対象判別部により複数の前記計測対象が判別されたと判断した場合に警告を発する警告部と、
前記警告部により警告が発せられた場合に前記操作部を介してユーザにより計測対象の指定を受け付ける計測対象指定受付部と
をさらに備え、前記計測部は、前記計測対象指定受付部が受け付けた計測対象に対する計測を行う請求項１〜３のいずれか一項に記載の音響波診断装置。
【請求項１６】
取得した音響波画像を表示する表示部と、
前記表示部に表示された前記音響波画像に含まれる計測対象を判別する計測対象判別部と、
前記計測対象に基づいて計測アルゴリズムを設定する計測アルゴリズム設定部と、
前記計測アルゴリズム設定部により設定された前記計測アルゴリズムに基づいて、前記音響波画像から前記計測対象に対する計測を行い、計測結果を前記表示部に表示させる計測部と、
ユーザが入力操作を行うための操作部と、
前記計測対象判別部により前記計測対象が判別されなかったと判断した場合および前記計測対象判別部により複数の前記計測対象が判別されたと判断した場合に警告を発する警告部と、
前記警告部により警告が発せられた場合に前記操作部を介してユーザにより計測対象の指定を受け付ける計測対象指定受付部と、
を備え、
前記計測部は、前記計測対象指定受付部が受け付けた計測対象に対する計測を行う音響波診断装置。
【請求項１７】
前記計測対象判別部は、前記音響波画像および時系列において前記音響波画像の前後に撮像された音響波画像を参照して前記音響波画像に含まれる前記計測対象を判別する請求項１６に記載の音響波診断装置。
【請求項１８】
前記操作部を介してユーザから計測実行の指示を受付ける計測実行指示受付部をさらに備える請求項１６または１７に記載の音響波診断装置。
【請求項１９】
前記計測実行指示受付部は、前記表示部に順次表示されている前記音響波画像を、ユーザが前記操作部を介してフリーズさせたことを前記計測実行の指示と判断する請求項１８に記載の音響波診断装置。
【請求項２０】
前記計測実行指示受付部は、メモリに保存されている前記音響波画像を、前記操作部を介してユーザが前記表示部に表示させたことを前記計測実行の指示と判断する請求項１８に記載の音響波診断装置。
【請求項２１】
前記警告部は、前記計測対象判別部により前記計測対象が判別されなかったと判断した場合に、前記表示部に警告表示を行い、且つ、複数の計測対象候補を前記表示部に表示し、
前記計測対象指定受付部は、前記表示部に表示された前記複数の計測対象候補から前記操作部を介してユーザにより選択された計測対象の指定を受け付ける請求項１５〜２０のいずれか一項に記載の音響波診断装置。
【請求項２２】
前記警告部は、前記計測対象判別部により複数の前記計測対象が判別されたと判断した場合に、前記表示部に警告表示を行い、且つ、判別された前記複数の計測対象を前記表示部に表示し、
前記計測対象指定受付部は、前記表示部に表示された複数の前記計測対象から前記操作部を介してユーザにより選択された計測対象の指定を受け付ける請求項１５〜２０のいずれか一項に記載の音響波診断装置。
【請求項２３】
前記計測部は、計測を行った計測対象の名前、計測値および計測に用いた計測線を前記計測結果として前記表示部に表示する請求項１〜４、７〜１０および１５〜２２のいずれか一項に記載の音響波診断装置。
【請求項２４】
前記操作部を介してユーザから前記表示部に表示された計測結果に対して計測対象の修正の指示を受け付ける計測対象修正受付部をさらに備え、
前記計測アルゴリズム設定部は、前記計測対象修正受付部が計測対象の修正の指示を受け付けると、修正された計測対象に応じた計測アルゴリズムを設定し、
前記計測部は、前記計測アルゴリズム設定部により設定された前記計測アルゴリズムに基づき、前記修正された計測対象に対して再度計測を行う請求項２３に記載の音響波診断装置。
【請求項２５】
前記操作部を介してユーザから前記表示部に表示された計測結果に対して計測線の修正の指示を受け付ける計測線修正受付部をさらに備え、
前記計測部は、前記計測線修正受付部が計測線の修正の指示を受け付けると、修正された計測線に基づいて再度計測を行う請求項２３に記載の音響波診断装置。
【請求項２６】
前記音響波画像は、超音波画像、光音響波画像、超音波画像と光音響波画像の合成画像のいずれかである請求項１〜２５のいずれか一項に記載の音響波診断装置。
【請求項２７】
音響波画像を順次表示し、
順次表示されている前記音響波画像を、ユーザがフリーズさせたことを計測実行の指示と判断して、前記ユーザから前記計測実行の指示を受け付け、
前記フリーズにより表示された１枚の前記音響波画像に含まれる計測対象を判別し、
判別された前記計測対象に基づいて計測アルゴリズムを設定し、
設定された前記計測アルゴリズムに基づいて前記音響波画像から前記計測対象に対する計測を行い、
計測結果を表示する音響波診断装置の制御方法。
【請求項２８】
ユーザの入力操作によりメモリに保存されている音響波画像を表示し、
前記メモリに保存されている前記音響波画像を、前記ユーザが表示させたことを計測実行の指示と判断して、前記ユーザから計測実行の指示を受け付け、
表示された前記音響波画像に含まれる計測対象を判別し、
判別された前記計測対象に基づいて計測アルゴリズムを設定し、
設定された前記計測アルゴリズムに基づいて前記音響波画像から前記計測対象に対する計測を行い、
計測結果を表示する音響波診断装置の制御方法。
【請求項２９】
音響波画像を表示し、
表示された前記音響波画像に含まれる計測対象を判別し、
前記音響波画像に含まれる前記計測対象が単数であるか否かを判別し、
判別された前記計測対象に基づいて計測アルゴリズムを設定し、
設定された前記計測アルゴリズムに基づいて前記音響波画像から前記計測対象に対する計測を行い、
計測結果を表示する音響波診断装置の制御方法。
【請求項３０】
音響波画像を表示し、
表示された前記音響波画像に含まれる計測対象を判別し、
前記計測対象が判別されなかったと判断した場合および複数の前記計測対象が判別されたと判断した場合に警告を発し、
警告が発せられた場合にユーザにより計測対象の指定を受け付け、
前記指定が受け付けられた前記計測対象に基づいて計測アルゴリズムを設定し、
設定された前記計測アルゴリズムに基づいて前記音響波画像から前記指定が受け付けられた前記計測対象に対する計測を行い、
計測結果を表示する音響波診断装置の制御方法。
【国際調査報告】
2019039050.tif 000009
2019039050.tif 000010
2019039050.tif 000011